(57)【特許請求の範囲】
【請求項１】
電子機器本体に対して第１の回動軸及び前記第１の回動軸に直交する第２の回動軸を中心として回動可能な可動体を有する電子機器であって、
前記電子機器本体と前記可動体間の回動部分の空間を塞ぐ目隠し部材を有する可動式目隠し機構が設けられ、
前記電子機器本体と前記可動体とを電気的に結線するハーネスが配置され、
前記目隠し部材の背面に取付けられた取付け部材により前記ハーネスの引き回し位置が規制されると共に、
前記取付け部材が透明材料で作られている
ことを特徴とする電子機器。
【請求項２】
前記可動式目隠し機構は前記可動体の開閉動作に伴って自動的に開閉する
ことを特徴とする請求項１に記載の電子機器。
【請求項３】
前記可動体の過度の開き状態時に、前記可動式目隠し機構を所定の位置で係止するためのストッパー機構が設けられて成る
ことを特徴とする請求項１に記載の電子機器。
【請求項４】
前記電子機器本体をビデオカメラ本体とし、
前記可動体を液晶表示パネルとして成る
ことを特徴とする請求項１に記載の電子機器。
【発明の詳細な説明】
【０００１】
【発明の属する技術分野】
本発明は、電子機器本体に回動可能な可動体を有する電子機器、例えば液晶表示パネル付きのビデオカメラ装置等に適用される電子機器に関する。
【０００２】
【従来の技術】
従来、ビデオ機構部とカメラ機構部とを一体化した、いわゆるビデオカメラ装置が知られている。このビデオカメラ装置では、ビデオカメラ本体に液晶表示パネルを備え、この液晶表示パネルに映し出された撮影画像を見ながらビデオ撮影したり、ビデオ再生画像を液晶表示パネルに再生して見ることができる、液晶表示パネル付きビデオカメラ装置も普及している。
【０００３】
図１０〜図１２は、従来の液晶表示パネル付きビデオカメラ装置の一例を示す。
このビデオカメラ装置１は、ビデオ機構部とカメラ機構部を一体化したビデオカメラ本体２と、このビデオカメラ本体２の一側面にヒンジ機構部３によって回動可能に取付けられた液晶表示パネル４とを有して構成される。液晶表示パネル４は、パネル表示面４ａ（図１１参照）を裏側にしてビデオカメラ本体２に収納される。５は光学レンズ系、６はファインダーを示す。
【０００４】
液晶表示パネル４は、図１２に示すように、ヒンジ機構部３に内蔵された縦方向に沿う第１軸を中心に開閉し、開き角が９０°の位置まで回動した状態において、液晶表示パネル４のパネル表示面４ａに映し出された画像を見ながらビデオ撮影を行うことができる。
【０００５】
また、液晶表示パネル４は、ヒンジ機構部３に内蔵された上記第１軸と直交する第２軸を中心として回動可能になされている。例えば−９０°〜１８０°の範囲内、又は−９０°〜２１０°の範囲内で回動可能になる。
図１２の状態は回動角が０°の場合である。パネル表示面４ａを下向きにしたときが回動角−９０°であり、パネル表示面４ａを上向きにしたときが回動角９０゜であり、パネル表示面４ａをファインダー６とは反対側（従って撮影側）に向かわせたときが回動角１８０°である。
【０００６】
例えば１８０°の回動状態では、パネル表示面４ａが撮影側を向くので、被撮影者に撮影画像を見せながらビデオ撮影をすることができる。
この状態から第１軸を中心に液晶表示パネル４を開閉角度０°の位置に戻した状態（即ち閉状態）とすることにより、ビデオカメラ装置１をコンパクトな状態にしてビデオ再生画像を見ることが可能となっている。
更に、液晶表示パネル４を第２軸を中心として回動角１６５°の位置に戻した状態、すなわちパネル表示面４ａを少し上向き状態にして視認性を向上させることができる。
【０００７】
【発明が解決しようとする課題】
ところで、このような液晶表示パネル付きビデオカメラ装置においては、液晶表示パネルとビデオカメラ本体間の可動部、即ちヒンジ機構部の回動軌跡のために、液晶表示パネルを開いたときに、ヒンジ機構部とビデオカメラ本体間に空間が生じ、内部に収納されているハーネス（即ち液晶表示パネルとビデオカメラ本体を電気的に接続するための結線）や内部の基板、構造物が見えてしまい、商品としての美観を損ない、好ましくない。
【０００８】
図１２に示すビデオカメラ装置１のように上記の空間に固定式の目隠し部材７を配置する場合は、ヒンジ機構部３を含む部分の厚さｄ1 を十分大きく取らねばならず、ビデオカメラ装置１の全体が大きくなってしまう。
【０００９】
一方、ビデオカメラ装置の小型化、薄型化を進めた場合には、例えば図１３に示すように、液晶表示パネル４を開いた状態では、ヒンジ機構部３とビデオカメラ本体２間に空間８が生じ、この空間を目隠しすることができず、体裁が悪く、商品の美観が損なわれる。このため、黒いテープや、塗装などの処理で対応さぜるを得ない。
【００１０】
なお、従来、可動式の目隠し機構も提案されているが、ヒンジ機構部の回動軌跡を確保するために、穴をあけざるを得ず、ハーネス等を隠すことができなかった。
【００１１】
本発明は、上述の点に鑑み、電子機器本体と可動体との間の回動部分に生じる空間を完全に塞いで商品の美観を向上するようにした電子機器を提供するものである。
【００１２】
【課題を解決するための手段】
本発明に係る電子機器は、電子機器本体に対して第１の回動軸及び前記第１の回動軸に直交する第２の回動軸を中心として回動可能な可動体を有する電子機器であって、電子機器本体と可動体間の回動部分の空間を塞ぐ目隠し部材を有する可動式目隠し機構が設けられ、電子機器本体と可動体とを電気的に結線するハーネスが配置され、目隠し部材の背面に取付けられた取付け部材によりハーネスの引き回し位置が規制されると共に、取付け部材が透明材料で作られていることを特徴とする。
【００１３】
この構成においては、可動式目隠し機構が可動体の回動（開閉）に伴って開閉するので、回動部分の空間を完全に塞ぐことができ、内部のハーネス、基板、構造物が露出することがない。目隠し部材の背面に取付けられた取付け部材によりハーネスの引き回し位置が規制されるので、可動体の第１及び第２の回動軸を中心とする様々な回動によってもハーネスが乱れることがない。取付け部材が透明材料で作られるので、組立工程でキャビネットの裏面からハーネスの引き回し位置が確認できる。
【００１４】
【発明の実施の形態】
本発明の電子機器は、電子機器本体に開閉可能な可動体を有する電子機器であって、電子機器本体と可動体間の回動部分の空間を塞ぐ可動式目隠し機構が設けられた構成とする。
【００１５】
可動式目隠し機構は可動体の開閉動作に伴って自動的に開閉するように構成される。
【００１６】
本発明は、上記電子機器において、可動体の過度の開き状態時、即ち可動体が外力等により所定の角度を越えて開いた状態の時に、可動式目隠し機構を所定の位置で係止するためのストッパー機構が設けられた構成とする。
【００１９】
本発明に係る電子機器は、電子機器本体をビデオカメラ本体とし、可動体を液晶表示パネルとしたいわゆるビデオカメラ装置に適用できる。
【００２０】
以下、図面を参照して本発明の実施の形態を説明する。
【００２１】
図１及び図２は、本発明の一実施の形態としての液晶表示パネル付きのビデオカメラ装置を示す。
本実施の形態に係るビデオカメラ装置１１は、ビデオ機構部とカメラ機構部を一体化したビデオカメラ本体１２と、このビデオカメラ本体１２の一側面にヒンジ機構部１３によって開閉可能に取付けられた液晶表示パネル１４とを有して成る。１７は光学レンズ系、１８はファインダーを示す。
液晶表示パネル１４は、パネル表示面１４ａを裏側にしてビデオカメラ本体１２の側面に収納される。
【００２２】
この液晶表示パネル１４は、図２に示すように、ヒンジ機構部１３に内蔵された縦方向に沿う第１の回動軸（以下、第１軸という）を中心に開閉可能とされ、また、ヒンジ機構部１３に内蔵された第１軸と直交する第２の回動軸（以下、第２軸という）を中心に回動可能に構成される。
液晶表示パネル１４の第２軸を中心とする回動範囲は、前述と同様に例えば−９０°〜１８０°、或は−９０°〜２１０°等にすることができる。
【００２３】
本ビデオカメラ装置１１においても、前述と同様に、液晶表示パネル１４を図２のように９０°の位置まで開いた状態にすると、パネル表示面１４ａに映し出された画像を見ながらビデオ撮影を行うことができる。
また、液晶表示パネル１４を第２軸を中心に例えば１８０°の回動状態としたときには、パネル表示面１４ａが撮影側を向くので、被撮影者に撮影画像を見せながらビデオ撮影することができる。
【００２４】
この状態から第１軸を中心に液晶表示パネル１４を開閉角０°の位置に戻して本体１２の側面に収納すれば、ビデオカメラ装置１１をコンパクトな状態にしてビデオ再生画像を見ることが可能になる。更に、液晶表示パネル１４を第２軸を中心として回動角１６５°の位置に戻し、パネル表示面１４ａを少し上向き状態にすれば、視認性が向上する。
【００２５】
そして、本実施の形態においては、特に、液晶表示パネル１４の回動部分に生じる空間、すなわち、開閉の際のヒンジ機構部１３の回動軌跡のために構造上ヒンジ機構部１３と本体１２との間に形成される空間１５を塞ぐ可動式目隠し機構１６が設けられる。
【００２６】
可動式目隠し機構１６は、図３に示すように、可動式の目隠し部材２１と、この目隠し部材２１を可動するための巻ばね２２から成る。この目隠し部材２１に巻ばね２２を装着した状態でビデオカメラ本体１２のキャビネット２４の裏面から前述の空間１５を塞ぐように配置し、さらに背面から透明部材、即ち透明材料からなり、目隠し部材２１の保持と後述するキャビネット２４の開口部３６を覆う取付け部材２５にて保持されるようにして可動式目隠し機構１６が構成される。
【００２７】
即ち、目隠し部材２１は、図４に示すように、前述の空間１５に対応して例えば長方形の板状をなし、長手方向に沿う一側辺の両端より回動軸２７〔２７ａ及び２７ｂ〕が一体に形成され、さらに回動軸２７の軸線上に対応する部分に開口２８が設けられると共に、この開口２８に臨むように上記軸線に沿って巻ばね２２を装着するためのボス２９が一体に形成されて成る。目隠し部材２１の裏面２１Ｂには、図４Ｃに示すように、巻ばね２２の一端２２ａを係止する突起３０が設けられ、また、目隠し部材２１の表面２１Ａには、目隠し部材２１の回動を制限するためのストッパー機構として作用する１対の突き当凸部３１が設けられる。
【００２８】
巻ばね２２は、図４Ｃに示すように、目隠し部材２１のボス２９に挿入され、その一端２２ａを突起３０に係止するようにして目隠し部材２１に装着される。巻ばね２２は、その一端２２ａが突起３０に係止されることによってボス２９から抜け出ることがない。
【００２９】
一方、図６に示すように、本体１２のキャビネット２４の裏面には、１対の軸受部３３が設けられる。目隠し部材２１は、巻ばね２２を装着した状態でその両回動軸２７ａ及び２７ｂが上記軸受部３３に入るように配置される。そして、図９に示すように、目隠し部材２１は、背面からの透明の取付け部材２５によって回動軸２７ａ及び２７ｂが挟持されてキャビネット２４に対して回動軸２７ａ，２７ｂを中心に回動可能に取付けられる。
【００３０】
取付け部材２５は、ビス３４によってキャビネット２４の裏面に固定される。このとき、巻ばね２２の他端２２ｂが取付け部材２５の面に当接することにより、目隠し部材２１は巻ばね２２のばね力によって常に開く方向に付勢される。
また、目隠し部材２１は、この状態でその回動軸２７ａ，２７ｂが設けられた反対側の側辺が、ヒンジ機構部１３に当接し、ヒンジ機構部１３に連結された液晶表示パネル１４の開閉動作に伴って巻ばね２２によって自動的に開閉されるようになされている。
【００３１】
取付け部材２５は、図５に示すように、キャビネット２４の開口部３６（図６参照）を気密的に覆う平面形状を有し、その裏面に後述するハーネス３７（図９参照）の引き回し位置を規制して可動部材（ヒンジ機構部、目隠し部材等の部分）の誤動作防止機構となるリブ３８が一体に設けられる。３９は、本体１２のキャビネット２４の軸受部３３の面に当接して回動軸２７ａ，２７ｂを保持するための抑え部である。
【００３２】
キャビネット２４の開口部３６には、図９に示すように、ヒンジ機構部１３、目隠し部材２１、さらには本体１２と液晶表示パネル１４との電気的結線に利用されるハーネス３７等が配置される。
取付け部材２５が開口部３６を覆うようにキャビネット２４の裏面に固着された状態では、リブ３８によってハーネス３７は目隠し部材から離れた位置に引き回される。
【００３３】
次に、図７〜図８を参照して本実施の形態に係る可動式目隠し機構１６の動作を説明する。
【００３４】
液晶表示パネル１４が閉じられてビデオカメラ本体１２の一側面に収納されている状態においては、図７Ａに示すように、目隠し部材２１はヒンジ機構部１３に押さえられて閉じた位置に存している。
【００３５】
次に、図７Ｂに示すように、ヒンジ機構部１３と共に液晶表示パネル１４が４５°開かれると、液晶表示パネル１４の回動に伴って、目隠し部材２１はその一側辺をヒンジ機構部１３に当接した状態で巻ばね２２のばね力によって回動軸２７ａ，２７ｂを中心に同図において反時計方向に回動する。
【００３６】
次に、図８Ｃに示すように、ヒンジ機構部１３と共に液晶表示パネル１４が９０°開かれると、目隠し部材２１もその一側辺をヒンジ機構部１３に当接した状態で巻ばね２２のばね力によって回動する。すなわち、液晶表示パネル１４と同様にキャビネット２４の面とのなす角が９０°となる位置まで回動する。
【００３７】
逆に、液晶表示パネル１４を図８Ｃの開状態から図７Ａの閉状態に戻すときは、目隠し部材２１をヒンジ機構部１３に押されて自動的に閉じられる。
【００３８】
このように可動式の目隠し部材２１によって、液晶表示パネル１４の開閉時にヒンジ機構部１３とキャビネット２４間に形成される空間１５が完全に塞がれ、キャビネット内部のハーネス３７、基板、構造物等を外部から隠すことができる。
【００３９】
また、図８Ｄに示すように、外力により液晶表示パネル１４が所定の角度、この例では９０°を越えて過度に開いた状態になると、目隠し部材２１はヒンジ機構部１３から離れる。このとき、目隠し部材２１は、ヒンジ機構部１３による押さえから解放されるために巻ばね２２のばね力によってさらに同図において反時計方向に回動しようとするも、目隠し部材２１に設けられた突き当凸部３１がキャビネット２４の開口部の端縁に当接し、開き角がほぼ９０°（実際は９０°より僅かに少ない角度）の状態で係止され、それ以上の回動が阻止される。
この状態では、目隠し部材２１の端部２１ａがヒンジ機構部１３の目隠し部材２１との当接端１３Ａの回動軌跡の内側に位置している。
【００４０】
従って、液晶表示パネル１４に対する外力がなくなり、液晶表示パネル１４が正常な位置（例えば図８Ｃの位置）に戻ったときには、目隠し部材２１はヒンジ機構部１３に押されて正常位置に戻る。それ以後、目隠し部材２１はヒンジ機構部１３の回動に伴って自動的に図７Ａ〜図８Ｃで示す開閉が行われる。
【００４１】
因みに、ストッパー機構となる突き当凸部３１がないと、図８Ｄの外力により液晶表示パネル１４が過度に開き、ヒンジ機構部１３から離れた目隠し部材２１が大きく反対時計方向に回動する。その後、液晶表示パネル１２が正常な位置に戻り、閉状態とすると、ヒンジ機構部１３の端部１３Ａが目隠し部材２１の端部２１ａの内側に入り込み、目隠し部材２１が正常に戻らず目隠し部材２１やその他を破壊してしまう。
しかし、本実施の形態においては、突き当凸部３１が設けられ、目隠し部材２１の回動範囲が規制されることにより、目隠し部材２１やその他の破壊が防止される。
【００４２】
一方、液晶表示パネル１４が閉じられた状態では、図９Ａに示すように、ハーネス３７の引き回し位置が取付け部材２５のリブ３８によって、規制される。そして、図９Ｂに示すように、液晶表示パネル１４が９０°開かれてハーネス３７のヒンジ機構部１３に接続される側が移動しても、ハーネス３７はリブ３８によって引き回し位置が保持される。従って、ハーネス３７が目隠し部材２１などに引っ掛かることがなく、液晶表示パネル１４の開閉が損なわれる等の誤動作が防止される。
【００４３】
上述の本実施の形態によれば、可動式の目隠し部材２１を設けたことにより、液晶表示パネル１４の開閉動作に際して構造上ヒンジ機構部１３と本体１２側のキャビネット２４間に生じる空間を完全に塞ぐことができる。従って、空間に臨むキャビネット２４内のハーネス３７、その他の基板、構造物等を外部から隠すことができ、美しい外観を実現し、液晶表示パネル付きのビデオカメラ装置の商品価値を高めることができる。
【００４４】
また、少ない部品点数で美観向上を図ることができる。そして、ヒンジ機構部１３の部分の厚さを薄くし、全体として薄型化、小型化したビデオカメラ装置の美観を向上することができる。
【００４５】
また、可動式の目隠し部材２１にストッパー機能を有する付き当凸部３１が設けられることによって、外力によって液晶表示パネル１４が過度に開かれても、目隠し部材２１の回動が所定位置で阻止され、液晶表示パネル１４と共にヒンジ機構部１３が正常位置に戻ると同時に目隠し部材２１も正常位置に戻ることができ、目隠し部材２１やその他の破損を回避することができる。
【００４６】
また、目隠し部材２１の回動軸２７ａ，２７ｂをキャビネット２４側の軸受部３３と共働して挟持的に保持する取付け部材２５に、リブ３８を一体に設け、このリブ３８にてハーネス３７の引き回し位置を規制するようにしているので、液晶表示パネル１４の開閉動作によっても、ハーネス３７を目隠し部材２１に引っ掛けることがなく、液晶表示パネル１４の回動の誤動作を防止することができる。
【００４７】
また、取付け部材２５はキャビネット２４の開口部を気密的に覆って固着されるので、モータ、その他から発生する音、いわゆるメカノイズを、開口部を通じて外部に漏洩することを防止することができる。
【００４８】
さらに、取付け部材２５が透明材料で作られているので、ハーネス３７の引き回しを確認しながら組み立てることができ、作業性を向上することができると共に、ハーネス３７を誤ってかみ込むことがなく、不良発生を未然に防止することができる。
【００４９】
尚、上述の実施の形態では、液晶表示パネル付きビデオカメラ装置に適用したが、その他の、電子機器本体に可動体を取付けてなる電子機器にも本発明は適用できるものである。
【００５０】
【発明の効果】
本発明に係る電子機器によれば、電子機器本体と可動体間の回動部分の空間を塞ぐ可動式目隠し機構を設けたことにより、可動体の開閉に際しても上記空間に臨む本体内部のハーネスや基板、構造物等を確実に隠すことができる。従って、電子機器としての美観を向上することができ、商品価値を高めることができる。
電子機器本体と可動体間のハーネスの引き回し位置が規制され、可動体の第１及び第２の回動軸を中心とした回動においてもハーネスの引き回し位置が変動しないので、ハーネスの引っ掛かりによる可動体の回動の誤差動を防止できる。
取付け部材が透明材料で作られ、ハーネスの引き回しを確認しながら組み立て作業ができるので、組み立て作業性を向上することができる。
【００５１】
可動式目隠し機構を可動体の開閉動作に伴って自動的に開閉するので、常に上記空間が露われることはなく、どの開閉状態でも美観を維持することができる。
【００５２】
ストッパー機構を設け、可動体の過度の開き状態のときでも、可動式目隠し機構を所定の位置で係止するので、可動体を正常位置に戻したときに目隠し機構、その他の破壊を防止することができる。
【００５４】
目隠し部材の背面に取付け部材を有することにより、電子機器本体内部のモータ、その他から発生するメカノイズの外部への漏洩を防止することができる。
本発明は、例えば液晶表示パネル付きビデオカメラ装置に適用して好適である。
【図面の簡単な説明】
【図１】本発明の電子機器をビデオカメラ装置に適用した場合の一実施の形態を示す斜視図である。
【図２】図１の実施の形態に係るビデオカメラ装置の液晶表示パネルを開いた使用態様の構成図である。
【図３】図１の実施の形態に係るビデオカメラ装置の要部の分解斜視図である。
【図４】Ａ  本実施の形態に係る目隠し部材の正面図である。
Ｂ  その側面図である。
Ｃ  その背面図である。
【図５】Ａ  本実施の形態に係る透明な取付け部材の側面図である。
Ｂ  その正面図である。
【図６】目隠し部材を本体のキャビネットに取付けた組み立て図である。
【図７】Ａ〜Ｂ  本実施の形態に係るビデオカメラ装置の動作図である（その１）。
【図８】Ｃ〜Ｄ  本実施の形態に係るビデオカメラ装置の動作図である（その２）。
【図９】Ａ〜Ｂ  本実施の形態に係るビデオカメラの背面からみた動作図である。
【図１０】従来のビデオカメラ装置の一例を示す斜視図である。
【図１１】図１０のビデオカメラ装置の一使用態様を示す斜視図である。
【図１２】図１０のビデオカメラ装置の他の使用態様を示す斜視図である。
【図１３】従来のビデオカメラ装置の他の例の要部の構成図である。
【符号の説明】
１１‥‥ビデオカメラ、１２‥‥ビデオカメラ本体、１３‥‥ヒンジ機構部、１４‥‥液晶表示パネル、１５‥‥空間、１６‥‥目隠し機構、２１‥‥目隠し部材、２２‥‥巻ばね、２５‥‥透明な取付け部材、３１‥‥ストッパー機構、３７‥‥ハーネス、３８‥‥誤動作防止機構リブ
【図１】
0003941245.tif 000002
【図２】
0003941245.tif 000003
【図３】
0003941245.tif 000004
【図４】
0003941245.tif 000005
【図５】
0003941245.tif 000006
【図６】
0003941245.tif 000007
【図７】
0003941245.tif 000008
【図８】
0003941245.tif 000009
【図９】
0003941245.tif 000010
【図１０】
0003941245.tif 000011
【図１１】
0003941245.tif 000012
【図１２】
0003941245.tif 000013
【図１３】
0003941245.tif 000014